(57)【特許請求の範囲】
【請求項１】
内部に封水を有する有底の箱体であるトラップ本体１と、
トラップ本体１上面に開口して構成されて、トラップ本体１内部に排水を流入させる流入口１１と、
トラップ本体１内の排水を外部へと排出するためにトラップ本体１側面に構成される排出口１２と、
トラップ本体１内に配置されて、排水を一部貯水する椀状のオワン部２と、
円筒状であって、オワン部２内に下端を配置して、オワン部２と協働して封水を形成する防臭パイプ３と、
から構成される排水トラップにおいて、
前記トラップ本体１底面を凹ませた、前記オワン部２が配置される、排水が貯留しうる収納部１３を構成するとともに、該収納部１３側面のみに、オワン部２が配置された際にオワン部２を支承する支承リブ１４を構成したことを特徴とする排水トラップ。
【請求項２】
前記支承リブ１４を複数構成したことを特徴とする前記請求項１に記載の排水トラップ。
【請求項３】
内部に封水を有する有底の箱体であるトラップ本体１と、
トラップ本体１上面に開口して構成されて、トラップ本体１内部に排水を流入させる流入口１１と、
トラップ本体１内の排水を外部へと排出するためにトラップ本体１側面に構成される排出口１２と、
トラップ本体１内に配置されて、排水を一部貯水する椀状のオワン部２と、
円筒状であって、オワン部２内に下端を配置して、オワン部２と協働して封水を形成する防臭パイプ３と、
から構成される排水トラップにおいて、
前記排出口１２底面よりも下方にまで前記トラップ本体１底面を凹ませた前記オワン部２が底面に配置される収納部１３を構成するとともに、収納部１３にオワン部２が載置され、前記防臭パイプ３を流入口１１に脱着自在に取り付ける構成とし、更に防臭パイプ３下端に、オワン部２の浮き上がりを防止する押さえ脚３２を下面に垂下して構成したことを特徴とする排水トラップ。
【請求項４】
前記押さえ脚３２を複数構成したことを特徴とする前記請求項３に記載の排水トラップ。
【請求項５】
前記オワン部２上端に、外側方向に向かって凸状に構成されて、オワン部２が逆方向に誤配置されることを防止する逆入れ防止リブ２１を構成したことを特徴とする前記請求項１乃至請求項４のいずれか一つに記載の排水トラップ。
【発明の詳細な説明】
【技術分野】
【０００１】
本発明は、台所や風呂場、洗面所など、排水が発生する箇所に用いられる各種排水設備に用いられる、下水からの異臭や害虫が室内側へ逆流することを防止する排水トラップに関するものである。
【背景技術】
【０００２】
本従来例の排水トラップは、図１０及び図１１に示されるように、浴室の排水口に取り付けられるものである。
本従来例の排水トラップは、図１０に示すように、トラップ本体と、流入口と、排出口と、オワン部と、防臭パイプと、取付部と、被取付部と、から構成される。
トラップ本体は、後記流入口、排出口が備えられるとともに、浴室の排水口の下流に取り付けられる箱体であって、内部に、後記するオワン部と防臭パイプによって協働で構成される封水が備えられる。また、封水とは下水からの害虫や異臭を室内側へ逆流させないために、排水の一部を貯水して、配管内を水封するものである。
流入口は、トラップ本体上部に開口した孔であって、浴室から発生した排水を排水口を介してトラップ本体内部に流入させるための開口である。また、流入口の下方には、後述する防臭パイプを脱着自在に取り付けるための被取付部を構成する。
排出口は、トラップ本体下面にパイプ状に開口した孔であって、トラップ本体内の排水をトラップ本体外へと排出するための開口である。又、排出口には排水管が配管接続され、当該排水管は下水管に接続されることから、トラップ本体内部の排水は最終的には下水管へと排水される。
オワン部は、椀状の部材であって、内部に排水を一部貯水できるように構成されて成る。また、トラップ本体内部の収納部に当該オワン部を配置する。このとき、流入口の直下位置に配置するようにする。本従来例では、オワン部下方にリブを構成し、トラップ本体底面に載置するよう構成している。また、オワン部側面にも羽根状のリブを構成し、後述する防臭パイプによって挟み込むよう配置して成る。
防臭パイプは、円筒状の部材であって、上端は前記被取付部に脱着自在に取り付けるための取付部を構成し、下端はオワン部内に配置されてなる。
尚、封水は、オワン部と防臭パイプによって協働して構成され、オワン部内に貯水した排水に、防臭パイプ下端がオワン部内に配置されるように構成されているから、封水を形成することができる。
取付部と被取付部は、防臭パイプ上端と流入口下方に構成され、防臭パイプを流入口下方に対して脱着自在に取り付けるために構成される。
【０００３】
前記の従来例の排水トラップは、以下のように取り付けられる。浴室の排水口裏面にトラップ本体を取付け、トラップ本体の排出口を排水管と配管接続させ、当該排水管を下水管へ接続する。その後、流入口からオワン部を差し込み、トラップ本体底面に載置し配置する。そうして防臭パイプを流入口からトラップ本体内に差し込み、防臭パイプ下端をオワン部内に配置するようにしてから防臭パイプの取付部と流入口下方の被取付部を係合させて着脱自在に取り付ける。その後、排水口に適宜目皿をセットしてこの従来例の排水トラップの施工が完了する。
【０００４】
前記の従来例の排水トラップは、以下のような水の流れとなる。浴室で発生した排水は、床上に排水され、床に開口された排水口から排出される。そうすると、排水口の下流に床の裏面から取り付けられたトラップ本体が配置構成されているので、排水口に排出された排水は流入口を介してトラップ本体内に流入し、流入口から防臭パイプを介してオワン部内に排水が貯水されたあと、オワン部内から排水が溢れた分だけ、排水はトラップ本体の収納部外周を通過して排出口からトラップ本体外へと排出される。トラップ本体外へと排水された排水は、排水管を介して最終的には下水管へと排水される。
【０００５】
また、その他の実施例として、図１１示したように、オワン部以外の形状は前記従来例とほぼ同じであるが、オワン部を以下のように構成したものがある。
本従来例のオワン部は、オワン状の部材であって、内部に貯水した排水を下流へと排水するための排水窓を上方側面に開口し、更には、オワン部を防臭パイプとトラップ本体に挟持して取り付けるために構成された、オワン部上端部分を外側方向にフランジ状に凸出させた挟持部、から構成される。
当該オワン部は、防臭パイプが取付部と流入口の被取付部によって取付固定される際に、トラップ本体と防臭パイプにオワン部の挟持部を挟持させるように取り付けることにより、オワン部を配置固定する形状となっている。
【先行技術文献】
【特許文献】
【０００６】
【特許文献１】実開昭５５−４００６５号公報
【特許文献２】実開昭６３−３１１８２号公報
【発明の概要】
【発明が解決しようとする課題】
【０００７】
前記した従来例の排水トラップは以下のような問題点があった。
１）オワン部はトラップ本体に載置しているのみであれば、排水がトラップ本体に流入すると、オワン部が排水中に配置されることとなり、オワン部に浮力が生じ、該オワン部は固定されていない為浮いてしまう。オワン部が浮いてしまうと、ＪＩＳ規格で定められている封水深５０mmが維持されない事態が発生する。封水深が維持されないと、下水からの異臭や臭気が室内側へ逆流してしまう。
このようなオワン部の浮き対策として、前述した従来例の排水トラップがあったが、図１０で示したオワン部載置形排水トラップであれば、排出口が下方に存在するため、オワン部とトラップ本体底面の間に通水用の隙間を構成せねばならず、当該隙間分の高さ幅分、全高を高くせねばならなかった。また、オワン部には浮き防止と位置決めの為の羽根状のリブが構成されているが、このようにオワン部に大きなリブ形状を構成すると、使用者がオワン部を清掃する際に当該リブが邪魔となり非常に洗いにくいという問題があった。
また、図１１で示したオワン部を防臭パイプで挟持して取り付ける形状の排水トラップであれば、オワン部は防臭パイプとトラップ本体によって挟持するように固定している為、どうしてもオワン部に高さが必要となるし、オワン部に排水窓を開口せねばならないので、これもまた使用者にとって非常に洗いにくい、といった問題があった。
また、トラップ本体にオワン部が配置されるが、当該オワン部を配置する際、トラップ本体部内に水が少量でも溜まっている場合、水の逃げ場所が無くなり、周囲に拡散するよう飛び散る現象があった。このようなことが発生すると、使用者が掃除やメンテナンスを行うたびに汚水である排水が周囲に飛び散り、場合によっては使用者にかかることもあり、非常に不快な現象であった。
また、従来の排水トラップにおいて、オワン部をトラップ本体内に配置するには、封水の形成及び排水の通水隙間を構成するために、オワン部の位置決めが必要となる。上述した従来の排水トラップにおいては、オワン部に通水隙間分の位置決め用のリブを構成したり、または、流入口に直接接続して位置決めするという構成にせねば成らず、オワン部の構造の複雑化の一因となり、オワン部の清掃性が悪くなる原因となっていた。
【０００８】
以上のことから、本発明の排水トラップは、オワン部の浮力による浮き上がりを防止し、オワン部の清掃性を向上させ、尚かつ、オワン部を配置する際の排水の噴出を効果的に防止する排水トラップである。
【課題を解決するための手段】
【０００９】
請求項１に記載の本発明は、内部に封水を有する有底の箱体であるトラップ本体１と、トラップ本体１上面に開口して構成されて、トラップ本体１内部に排水を流入させる流入口１１と、トラップ本体１内の排水を外部へと排出するためにトラップ本体１側面に構成される排出口１２と、トラップ本体１内に配置されて、排水を一部貯水する椀状のオワン部２と、円筒状であって、オワン部２内に下端を配置して、オワン部２と協働して封水を形成する防臭パイプ３と、から構成される排水トラップにおいて、前記トラップ本体１底面を凹ませた、前記オワン部２が配置される、排水が貯留しうる収納部１３を構成するとともに、該収納部１３側面のみに、オワン部２が配置された際にオワン部２を支承する支承リブ１４を構成したことを特徴とする排水トラップである。
【００１０】
請求項２に記載の本発明は、前記支承リブ１４を複数構成したことを特徴とする前記段落０００９に記載の排水トラップである。
【００１１】
請求項３に記載の本発明は、内部に封水を有する有底の箱体であるトラップ本体１と、トラップ本体１上面に開口して構成されて、トラップ本体１内部に排水を流入させる流入口１１と、トラップ本体１内の排水を外部へと排出するためにトラップ本体１側面に構成される排出口１２と、トラップ本体１内に配置されて、排水を一部貯水する椀状のオワン部２と、円筒状であって、オワン部２内に下端を配置して、オワン部２と協働して封水を形成する防臭パイプ３と、から構成される排水トラップにおいて、前記排出口１２底面よりも下方にまで前記トラップ本体１底面を凹ませた前記オワン部２が底面に配置される収納部１３を構成するとともに、収納部１３にオワン部２が載置され、前記防臭パイプ３を流入口１１に脱着自在に取り付ける構成とし、更に防臭パイプ３下端に、オワン部２の浮き上がりを防止する押さえ脚３２を下面に垂下して構成したことを特徴とする排水トラップである。
【００１２】
請求項４に記載の本発明は、前記押さえ脚３２を複数構成したことを特徴とする前記段落００１１に記載の排水トラップである。
【００１３】
請求項５に記載の本発明は、前記オワン部２上端に、外側方向に向かって凸状に構成されて、オワン部２が逆方向に誤配置されることを防止する逆入れ防止リブ２１を構成したことを特徴とする前記段落０００９請求項１乃至段落００１２のいずれか一つに記載の排水トラップである。
【発明の効果】
【００１４】
請求項１に記載の排水トラップによれば、トラップ本体１底面を凹ませた、オワン部２が配置される、排水が貯留しうる収納部１３を構成したことにより、トラップ本体１を位置決めして載置できる構成となった。
また、請求項１に記載の排水トラップによれば、収納部１３側面のみに、オワン部２が配置された際にオワン部２を支承する支承リブ１４を構成したことにより、収納部１３内に排水が貯水していた場合にオワン部２を収納部１３に配置しても、支承リブ１４の突出幅によって形成されるオワン部２外側面と収納部１３内側面分の隙間に収納部１３内の排水が逃げることが出来、オワン部２を載置した際に、オワン部２の挿入圧入によって排水に水圧が付与されて、上方に噴出して使用者にかかるようなことがなくなる。また、オワン部２を収納部１３に配置した際に支承リブ１４によってオワン部２は支承されているため、がたついたりすることがない。
請求項２に記載の排水トラップによれば、支承リブ１４を複数構成したことにより、設計の幅を広げることができる。
請求項３に記載の排水トラップによれば、排出口１２底面よりも下方にまで前記トラップ本体１底面を凹ませた前記オワン部２が底面に配置される収納部１３を構成するとともに、収納部１３にオワン部２が載置され、防臭パイプ３を流入口１１に脱着自在に取り付ける構成とし、更に防臭パイプ３下端に、オワン部２の浮き上がりを防止する押さえ脚３２を下面に垂下して構成したことにより、防臭パイプ３の押さえ脚３２によってオワン部２を略当接させているので、排水の浮力がオワン部２に付与されても、オワン部２が浮き上がることがない。
請求項４に記載の排水トラップによれば、押さえ脚３２を複数構成したことにより、設計の幅を広げることができる。
請求項５に記載の排水トラップによれば、オワン部２上端に、外側方向に向かって凸状に構成されて、オワン部２が逆方向に誤配置されることを防止する逆入れ防止リブ２１を構成したことにより、オワン部２を誤って天地逆（逆方向）に配置しようとしても、逆入れ防止リブ２１が収納部１３外縁部に係止して、それ以上収納部１３内に入れることができなくなるので、誤配置される心配がない。
【図面の簡単な説明】
【００１５】
【図１】本発明の排水トラップを示す分解斜視図である。
【図２】本発明のトラップ本体を示す一部切り欠き斜視図である。
【図３】本発明のトラップ本体を示す斜視図である。
【図４】本発明のオワン部を示す斜視図である。
【図５】本発明のトラップ本体にオワン部が配置された状態を示す図７におけるＡ−Ａ’断面図である。
【図６】本発明のトラップ本体にオワン部が配置された状態を示す図７におけるＡ−Ａ’断面の斜視図である。
【図７】本発明のトラップ本体にオワン部が配置された状態を示す上面図である。
【図８】（Ａ）本発明の防臭パイプを示す側面図である。（Ｂ）本発明の防臭パイプを示す側面図である。（Ｃ）本発明の防臭パイプを示す斜視図である。
【図９】本発明の防臭パイプを逆位置に誤配置してしまった状態を示す断面図である。
【図１０】従来例を示す断面図である。
【図１１】従来例を示す断面図である。
【発明を実施するための形態】
【００１６】
本実施例の排水トラップは、図１乃至図９に示されるように、浴室の排水口に取り付けらるものである。
本実施例の排水トラップは、トラップ本体１と、流入口１１と、排出口１２と、オワン部２と、防臭パイプ３と、取付部４１と、被取付部４２と、から構成される。
トラップ本体１は、図２及び図３に示すように、後記流入口１１、排出口１２が備えられるとともに、浴室の排水口の下流に取り付けられる箱体であって、内部に、後記するオワン部２と防臭パイプ３によって協働で構成される封水が備えられる。また、封水とは下水からの害虫や異臭を室内側へ逆流させないために、排水の一部を貯水して、配管内を水封するものである。また、トラップ本体１底面には、底面を凹ませて構成した後述するオワン部２が配置される収納部１３を形成する。尚、図２、図３に示すように当該収納部１３内周面の特に側面に、後述するオワン部２が配置される際に支承する、支承リブ１４を構成する。この支承リブ１４を構成したことにより、図５及び図６、図７に示すように、収納部１３内側面とオワン部２外周面の間に支承リブ１４の幅分の隙間を備えることができる。この支承リブ１４により構成される隙間によって、仮に収納部１３内に排水が貯留していたとしても、オワン部２が適正箇所に配置された際に収納部１３内の排水はオワン部２と収納部１３の間に支承リブ１４によってできた隙間（空間）に排水が逃げるもしくは移動する為、オワン部２を収納部１３に配置した際の圧力が軽減されて、オワン部２が収納部１３に配置しやすくなった。また、支承リブ１４を構成したことにより、収納部１３内に貯留した排水がオワン部２を配置した際にオワン部２を配置する圧力により上方に噴出するようなこともない為、使用者に汚水である排水がかかるようなことはない。
流入口１１は、トラップ本体１上部に開口した孔であって、浴室から発生した排水を排水口を介してトラップ本体１内部に流入させるための開口である。また、流入口１１には、後述する防臭パイプ３を脱着自在に取り付けるための被取付部４２を構成する。
排出口１２は、トラップ本体１側面にパイプ状に開口した孔であって、トラップ本体１内の排水をトラップ本体１外へと排出するための開口である。又、排出口１２には排水管が配管接続され、当該排水管は下水管に接続されることから、トラップ本体１内部の排水は最終的には下水管へと排水される。
オワン部２は、図４に示すように、椀状の部材であって、内部に排水を一部貯水できるように構成されて成る。また、トラップ本体１内部の収納部１３に当該オワン部２を配置する。このとき、流入口１１の直下位置に配置するようにする。また、オワン部２上端には、外側方向に向かって凸状に構成される、逆入れ防止リブ２１を構成している。当該逆入れ防止リブ２１は、オワン部２を使用者が設置する際に、図９に示したようにオワン部２を天地逆に収納部１３に配置してしまうことを防止する凸状のリブであり、仮にオワン部２を天地逆に収納部１３に配置しようとしても、逆入れ防止リブ２１が収納部１３外縁に引っ掛かる為、天地逆に配置できないように構成されている。また、逆入れ防止リブ２１は、オワン部２が収納部１３に設置された位置から、収納部１３外縁に係る位置まで凸出して構成されるので、オワン部２を収納部１３に天地逆に入れた際に、オワン部２上端に構成された逆入れ防止リブ２１が収納部１３外縁に引っ掛かり、オワン部２が収納部１３に誤配置されるようなことがない。また、オワン部２には従来例のように大きなリブ等構成されない為、オワン部２の形状が単純化され、使用者にとって洗いやすくなった。
防臭パイプ３は、図８に示すように円筒状の部材であって、上端に流入口１１の被取付部４２に脱着自在に取り付けるための取付部４１を構成し、下端はオワン部２内に配置されてなる。また、防臭パイプ３の上方には、使用者が防臭パイプ３の回転を操作する取手部３１を構成している。
尚、封水は、オワン部２と防臭パイプ３が協働して構成され、オワン部２内に貯水した排水に、防臭パイプ３下端がオワン部２内に配置されるように構成されているから、オワン部２内の排水によって封水を形成することができる。
また、防臭パイプ３下端には、下方に垂下して構成した押さえ脚３２を複数構成して成る。当該押さえ脚３２は、排水トラップが使用可能に取付状態時にはオワン部２底面に略当接状態となっており、このようにすることから、排水がトラップ本体１内に流入しても、排水の浮力によりオワン部２が上方に浮き上がるようなことがない。
取付部４１と被取付部４２は、流入口１１に被取付部４２が、防臭パイプ３上端に取付部４１がそれぞれ構成され、防臭パイプ３を流入口１１に脱着自在に取り付けるために構成される。また、流入口１１内周面に構成された被取付部４２は内側方向に飛び出す凸リブ４２が複数構成される。そして、防臭パイプ３上端に構成された取付部４１は、上記流入口１１の被取付部４２の凸リブ４２に螺合する係合溝４１を構成する。当該取付部４１と被取付部４２は、流入口１１に対して防臭パイプ３の取手部３１を回転させることで、流入口１１の凸リブ４２に防臭パイプ３の係合溝４１が回転により係合して回転ロックし取り付けることが可能となり、さらに、防臭パイプ３の取手部３１を取付時と逆方向に回転させると凸リブ４２と係合溝４１の回転ロックが解除され、防臭パイプ３は簡単に流入口１１から取り外すことが出来る。
【００１７】
前記の実施例の排水トラップは、以下のように取り付けられる。浴室の排水口裏面にトラップ本体１を取付け、トラップ本体１の排出口１２を排水管と配管接続させ、当該排水管を下水管へ接続する。その後、流入口１１からオワン部２を差し込み、トラップ本体１の収納部１３の、支承リブ１４にオワン部２を載置し配置する。このように、トラップ本体１底面に収納部１３を構成した上でオワン部２を収納部１３に配置することで、簡単にオワン部２を流入口１１の直下位置に位置決め配置できるようになった。
そうして防臭パイプ３を流入口１１からトラップ本体１内に差し込み、防臭パイプ３下端をオワン部２内に配置するようにしつつ、防臭パイプ３下端の押さえ脚３２をオワン部２内周の底面に略当接させつつ、防臭パイプ３の取付部４１の係合溝４１を流入口１１の被取付部４２の凸リブ４２に係合させて回転させる。そうすると防臭パイプ３と流入口１１の被取付部４２が互いに回転ロックし防臭パイプ３が流入口１１に取り付く。その後、排水口に適宜目皿５をセットしてこの実施例の排水トラップの施工が完了する。
この状態において、オワン部２は支承リブ１４によって支承されて収納部１３とオワン部２には空間が生じるように配置され、更には、オワン部２は上端が取付部４１及び被取付部４２によって固定された防臭パイプ３下端の押さえ脚３２により押さえられているので、オワン部２が配置後に収納部１３との隙間によってがたついたり、また、オワン部２が排水の浮力により浮上したりすることがない。
また、防臭パイプ３に関しては、排水トラップのメンテナンスや排水管の詰まり等の対応で流入口１１から取り外す必要があるが、防臭パイプ３を取り外す際は、取付時の回転とは逆回転で防臭パイプ３を流入口１１に対し回転させることで取付部４１と被取付部４２の回転ロックが解除され、簡単に防臭パイプ３を流入口１１から取り外すことができる。
【００１８】
前記の実施例の排水トラップは、以下のような水の流れとなる。浴室で発生した排水は、床上に排水され、床に開口された排水口から排出される。そうすると、排水口の下流に床の裏面から取り付けられたトラップ本体１が配置構成されているので、排水口に排出された排水は流入口１１を介してトラップ本体１内に流入する。そうして、流入口１１から防臭パイプ３を介してオワン部２内に排水が貯水されたあと、オワン部２内から排水が溢れた分だけ、排水はトラップ本体１の収納部１３外周を通過して排出口１２からトラップ本体１外へと排出される。トラップ本体１外へと排水された排水は、排水管を介して最終的には下水管へと排水される。
【００１９】
本発明の排水トラップは上記のようであるが、前記実施例に限定されるものではなく、特許請求の範囲の記載の範囲内において適宜変更は可能である。
例えば、前記実施例では、支承リブ１４及び押さえ脚３２は複数構成しているが、単数で構成しても構わない。
また、前記実施例では、取付部４１と被取付部４２の構成を凸リブ４２と係合溝４１により構成しているが、特にこのような構造に限定されるものではなく、これらの構成は防臭パイプ３と流入口１１が着脱自在に取り付けられればどのような構成でも良い。
また、前記実施例では、取付部４１を防臭パイプ３に、被取付部４２を流入口１１に構成しているが、特にこのような構造に限定されるものではなく、例えば防臭パイプ３に被取付部４２、流入口１１に取付部４１を構成しても構わない。
【産業上の利用可能性】
【００２０】
本発明の排水トラップは、浴室や台所、洗面所、又は、各種排水が発生する湿式タイプ床面に用いられるものである。
【符号の説明】
【００２１】
１    トラップ本体
１１  流入口
１２  排出口
１３  収納部
１４  支承リブ
２    オワン部
２１  逆入れ防止リブ
３    防臭パイプ
３１  取手部
３２  押さえ脚
４１  取付部（係合溝）
４２  被取付部（凸リブ）
５    目皿
【図１】
0006019279.tif 000002
【図２】
0006019279.tif 000003
【図３】
0006019279.tif 000004
【図４】
0006019279.tif 000005
【図５】
0006019279.tif 000006
【図６】
0006019279.tif 000007
【図７】
0006019279.tif 000008
【図８】
0006019279.tif 000009
【図９】
0006019279.tif 000010
【図１０】
0006019279.tif 000011
【図１１】
0006019279.tif 000012